(57)【要約】【課題】視覚障害者および健常者の双方に認識可能な装飾用シールを提供することを課題とする。【解決手段】剥離用の台紙４と、裏面側に設けられた粘着剤層８を介して台紙４に仮着されるとともに、表面側に突設させた複数の図柄１０にて形成された図柄部１２、および図柄１０の説明を突設させた点字で表示した説明部１４を備えた基材６とから成り、図柄１０の周辺部の近辺に、台紙４に達するまでの切込み線１６を設け、図柄１０を台紙４から剥離自在とした。【選択図】　　　図２
2004037508.tif 000002
【特許請求の範囲】
【請求項１】
剥離用の台紙と、
裏面側に設けられた粘着剤層を介して前記台紙に仮着されるとともに、表面側に突設させた複数の図柄にて形成された図柄部、および前記図柄の説明を突設させた点字で表示した説明部を備えた基材とから成り、
前記図柄の周辺部の近辺に、前記台紙に達するまでの切込み線を設け、前記図柄を台紙から剥離自在としたことを特徴とする装飾用シール。
【請求項２】
前記図柄は、星や動物などの図形あるいは写真やイラストであることを特徴とする請求項１に記載の装飾用シール。
【請求項３】
前記図柄の周辺部に設けた切込み線は、図柄の形状に沿って施したことを特徴とする請求項１ないし２に記載の装飾用シール。
【請求項４】
前記図柄は、同じ形状のものを１列にして、異なった形状のものを複数列配設するとともに、この列に配設した図柄の前記説明部を列の始めまたは後ろもしくは双方に表示させたことを特徴とする請求項１ないし３に記載の装飾用シール。
【請求項５】
複数種類の前記図柄と、この図柄の前記説明部とを交互に配設したことを特徴とする請求項１ないし３に記載の装飾用シール。
【請求項６】
複数種類の前記図柄と、この図柄を挟んで説明部を設けたことを特徴とする請求項１ないし３に記載の装飾用シール。
【発明の詳細な説明】
【０００１】
【発明の属する技術分野】
本発明は、特に、視覚障害者および健常者の双方に認識可能な装飾用シールに関する。
【０００２】
【従来の技術】
従来、年賀状等の書状に貼り付ける装飾用シールとしては、例えば、特開２０００−１９９６６号公報に開示されるようなものが知られている。
【０００３】
また、いずれの方向から見ても図柄模様又は文字の輪郭線を見えやすくした装飾用のラベルとしては、例えば、特開２０００−３５６９５１号公報に開示されるようなものが知られている。
【０００４】
しかしながら、上記のような従来の装飾用シールやラベルでは、健常者には使用しやすいものの、視覚障害者がお年玉袋などの封印に利用したり、持ち物にワンポイントで使用するにはラベルの形が平面的で分かり難く、また、何を表しているのかが表示されていないため、視覚障害者には使用し難いという問題があった。
【０００５】
最近では、視覚障害者と健常者のバリアフリー化が望まれており、基材の表面に点字を表示して視覚障害者および健常者の双方が認識できるようなシール、ラベル（例えば、特開２００１−５１５９０号公報や特開２００１−２４２７８８号公報）が開発されているが、いずれも商品の内容や仕様を表示するためのものであり、視覚障害者および健常者（晴眼者）の双方が使用できるような装飾用シールは存在しなかった。
【０００６】
【発明が解決しようとする課題】
本発明は、上記のような問題点に着目してなされたものであって、視覚障害者および健常者の双方に認識可能な装飾用シールを提供することを課題とする。
【０００７】
【課題を解決するための手段】
上記課題を達成するため、本発明に係る装飾用シールは、剥離用の台紙と、裏面側に設けられた粘着剤層を介して上記台紙に仮着されるとともに、表面側に突設させた複数の図柄にて形成された図柄部、および上記図柄の説明を突設させた点字で表示した説明部を備えた基材とから成り、上記図柄の周辺部の近辺に、上記台紙に達するまでの切込み線を設け、上記図柄を台紙から剥離自在としたことを特徴とする。
また、上記図柄は、星や動物などの図形あるいは写真やイラストとすることができる。
また、上記図柄の周辺部に設けた切込み線は、図柄の形状に沿って施すことができる。
また、上記図柄は、同じ形状のものを１列にして、異なった形状のものを複数列配設するとともに、この列に配設した図柄の上記説明部を列の始めまたは後ろもしくは双方に表示させるようにできる。
また、複数種類の上記図柄と、この図柄の説明部とを交互に配設するようにできる。
また、複数種類の上記図柄と、この図柄を挟んで説明部を設けるようにできる。
【０００８】
【発明の実施の形態】
以下、図１および図２を参照して、本発明の好適な一実施の形態を説明する。図１は、装飾用シールの平面図であり、図２は、図１中、矢示ＩＩ−ＩＩ線に沿う断面図である。
同図に示すように装飾用シール２は、主に、剥離用の台紙４と、基材６とから構成される。
【０００９】
基材６は、裏面に粘着剤層８が備えられ、この粘着剤層８を介して台紙４に対し剥離可能な状態に貼着されている。剥離可能に貼着されていることから、以降、仮着と称す。
一方、基材６の表面側は、複数の図柄１０から成る図柄部１２と、この図柄１０の説明を点字で表示した説明部１４と、切込み線１６と、を備えている。
【００１０】
図柄１０は、図１の例では、第１列目が猫の図柄１０Ａ、１０Ａ・・・、第２列目が魚の図柄１０Ｂ、１０Ｂ・・・、第３列目がチューリップの図柄１０Ｃにて形成されており、上記各列の図柄１０Ａ、１０Ｂ、１０Ｃが形成された図柄部１２を挟んだ列の始めと終わりに説明部１４が形成されている。この説明部１４は、図柄１０の説明を点字で説明する表示部分であって、各列に対応した説明、即ち、第１列目の図柄１０Ａは、「ＣＡＴ」、第２列目は、「ＦＩＳＨ」、そして、第３列目は、「花」という表示が点字で説明されている。
前記の図柄１０および点字で表示された説明部１４は、例えば、ワニスなどを使用したスクリーン印刷およびＵＶ照射器でインクを固めるような重ね印刷を複数回繰り返すなどの既知の方法により立体的に形成されている。従って、視覚障害者にあっては、説明部１４に表示された点字により図柄１０の種類が確認できるとともに、図柄１０も立体成形されており、手触り（指先の感覚）で図柄１０を確認できるため識別が容易となる。
また、健常者（晴眼者）にあっては、立体成形された図柄１０を目視で確認できる。
【００１１】
切込み線１６は、各々の図柄１０の周辺部の近辺をロ字形状に囲む切込み部分であって、基材６の表面側から粘着剤層８を切込んで台紙４の手前に至るまで施されている。従って、切込み線１６により囲まれた各々の図柄１０Ａ、１０Ｂ、１０Ｃが台紙４より剥離自在とされる。
【００１２】
次に、このような装飾用シール２を視覚障害者が使用する場合、点字で表示された説明部１４を指で触り所望の図柄１０の列を選択し、指を列に沿って移動させると、図柄１０も立体成形されているため、所望の図柄１０の選択が可能となる。
【００１３】
所望の図柄１０を選択し、切込み線１６に沿って装飾用シール２を撓ませると、粘着剤層８を介して台紙４に仮着された基材６から、周辺部を含んだ図柄１０部分が剥離されるので、お年玉袋などの封緘に使ったり、ワンポイントに眼鏡ケースなどの小物や文房具などに貼り付けることが可能となる。
【００１４】
小物などに貼り付けられた図柄１０は、立体成形されているので、従来の平面的な装飾シールに比べ、装飾としての見栄えがよいものである。
【００１５】
なお、本実施の形態では、列の始めと終わりに説明部１４を形成したが、これに限定されないことは勿論であり、一方の端部（列の始めまたは終わり）に設けても構わない。
【００１６】
また、図柄１０としては、猫や魚で説明したが、これに限定されないことは勿論であり、星型や矢印などの図形や、写真、イラストとすることも可能である。
【００１７】
図３は、本発明の他の実施形態を示す図１相当の平面図である。
なお、以下において、先の実施の形態と同様の部分は同一符号を付すに止め、詳説を省略する。
【００１８】
装飾用シール２０には、基材６の表面側に一つひとつ異なった図柄１０が形成されており、この図柄１０の上下（図３における上下）に点字で表示された説明部１４が形成されている。
【００１９】
また、切込み線２２は、図柄１０の形状に合せて設けられている。すなわち、猫の形や魚の外形に沿って切込み線２２が施されており、切込み線２２に沿って装飾用シール２０を撓ませると、台紙４に仮着された基材６から図柄１０のみが剥離されるため、周辺部を含んだ図柄部分が同時に剥離された先の実施の形態に比べ、より見栄えがよいものである。
【００２０】
また、図柄１０を挟んで説明部１４が形成されることにより、図柄１０の存在位置（仮着されている位置）がより明確になるため、一つひとつの形状の認識がより確実になるものである。
【００２１】
なお、図柄１０に対する説明部１４は、図柄１０の上または下（図３における上または下）のどちらか一方に設けてもよく、複数種類の図柄１０と、この図柄１０の説明部１４とを交互に配設することにより、基材２により多くの図柄１０が配設可能となり、しかも、一つひとつの図柄１０の種類が明確となるものである。
【００２２】
他の構成、作用、効果は、先の実施の形態と略同様につき、詳説を省略する。
【００２３】
上述したように、視覚障害者にあっては、点字で表示された説明部１４を手触り（指先の感触）で確認した上で立体成形された所望の図柄１０も手触りで選択でき、健常者にあっては、図柄１０を見て選択できるので、視覚障害者および健常者の双方に見易い装飾用シートとなるものである。
【００２４】
しかも、台紙４から剥離された図柄１０は、立体成形されているため、お年玉袋などの封緘や、小物にワンポイントに貼って用いても立体感があって見栄えがいいものである。
【００２５】
なお、本発明においては、図１および図３における「列」は、縦方向に限定して説明したが、これに限定されないことは勿論であり、横方向であっても構わない。
【００２６】
【発明の効果】
この発明に係る装飾用シールは、基材の表面側に突設させた複数の図柄と、この図柄の説明を点字で表示した説明部とを設けたので、点字で表示された説明部を手触りで確認した上で、立体成形された所望の図柄を手触りで選択できるので、視覚障害者にも、また、健常者にも使用しやすいという効果がある。
【００２７】
更に、台紙から剥離した図柄部分は立体成形されているため、ワンポイントで封緘や小物に貼り付けても立体感があって見栄えがよいという効果がある。
【図面の簡単な説明】
【図１】本発明に係る装飾用シールの一実施の形態の平面図である。
【図２】同、図１の矢示ＩＩ−ＩＩ線に沿う断面図である。
【図３】同、他の実施の形態を示す図１相当の平面図である。
【符号の説明】
２　　装飾用シール（第１の実施形態）
４　　台紙
６　　基材
８　　粘着剤層
１０，１０Ａ、１０Ｂ、１０Ｃ　図柄
１２　図柄部
１４　説明部
１６　切込み線
２０　装飾用シール（第２の実施形態）
２２　切込み線
【図１】
2004037508.tif 000003
【図２】
2004037508.tif 000004
【図３】
2004037508.tif 000005